(57)【特許請求の範囲】
【請求項１】
衣類（１）、特に肌に直に着用する衣類（１）であって、少なくとも所定の領域で、水密及び／又は風密な生地（２）から成っている形式のものにおいて、
前記生地（２）の、衣類の着用者の肌に面した側に複数のチューブ（５）がほぼ水平に延在して設けられており、これらのチューブ（５）の両端部（６）は開放されて構成されており、これらのチューブ（５）には、チューブ（５）の周面に形成された複数の開口部（７）が設けられており、チューブ（５）の前記開口部（７）が、衣類の使用状態で、上方に向くように配置されていることを特徴とする衣類。
【請求項２】
前記チューブ（５）がシリコーンから製造されている、請求項１記載の衣類。
【請求項３】
前記チューブ（５）がポリテトラフルオロエチレン（ＰＴＦＥ）から製造されている、請求項１記載の衣類。
【請求項４】
前記チューブ（５）がポリエチレンから製造されている、請求項１記載の衣類。
【請求項５】
前記開口部（７）がそれぞれ長孔の形状を有しており、該長孔はチューブ（５）に沿って延在している、請求項１から４までのいずれか１項記載の衣類。
【請求項６】
チューブ（５）が円形又は楕円形の横断面を有している、請求項１から５までのいずれか１項記載の衣類。
【請求項７】
チューブ（５）が三角形の横断面を有している、請求項１から５までのいずれか１項記載の衣類。
【請求項８】
チューブ（５）がその端部のうちの少なくとも１つで衣類（１）から外部へ出ている、請求項１から７までのいずれか１項記載の衣類。
【請求項９】
チューブ（５）の少なくとも１つの開放された端部が、衣類の使用状態で、下方に向くように配置されている、請求項１から８までのいずれか１項記載の衣類。
【請求項１０】
複数のチューブが平行に配置されていて、湾曲部を介して、１つのメアンダ状のループとなるように接続されている、請求項１から９までのいずれか１項記載の衣類。
【発明の詳細な説明】
【技術分野】
【０００１】
本発明は、衣類、特に肌に直に着用する衣類であって、少なくとも所定の領域で、空調メンブレンを含む水密及び／又は風密な、即ち雨風を通さない生地から成っている形式のものに関する。
【０００２】
衣類には身体を外部の影響から保護するという目的がある。外部の影響とはまず、天候の影響であり、即ち、風、湿度、寒さの身体への影響である。さらに、衣類は、各使用者に快適な着用感を与えるという課題を有する。この場合、特に、スポーツ活動又は比較的高い外気温のもとでも、体から発せられるエネルギや汗の熱を良好に排出させることが重要である。
【０００３】
天候の影響に対して良好に保護するという目的では、空調メンブレンを使用することが公知である。このような空調メンブレンでは、外部から身体に作用する風や水を遮断することができ、かつ同時に、体から発せられるエネルギや汗の熱の導出を可能にするために、内部から外部への蒸気透過性が確保されている。公知のメンブレンとしては、この場合、「ゴアテックス（Goretex）」又は「シンパテックス（Sympatex）」という商標名が挙げられる。
【０００４】
空調メンブレンの使用により確かに基本的には、身体から発せられる熱を外部に導出することができるが、このようなことは、メンブレンの技術的な前提により限られた範囲でしか可能ではない。特に、例えばランニングやサイクリングのように極めて激しい身体的な活動を行う場合、公知のメンブレンでは、身体から発せられる水滴や水蒸気をメンブレンの孔を通して完全に外部に導出することは、極めて限られた範囲でしか可能ではない。著しく汗をかく場合に多量の湿分が生じる際はむしろ、メンブレンの、着用者の肌に面した側では湿気が凝縮し、比較的大きな汗滴となって集まり、ひいては、接している生地層やその下に着用される別の衣類を湿らせてしまう。
【０００５】
本発明の課題は、極めて激しい身体的な負荷のもとでも、ひいては熱及び汗が著しく発生した場合でも、湿分を十分に衣類から外部に導出することができるような衣類を提供することである。
【０００６】
この課題は、本発明によれば、請求項１の特徴を備えた衣類により解決される。
【０００７】
本発明によれば、極めて激しい身体的な活動のもとでも、十分な汗の導出が可能であるような衣類、特に、肌に直に着用するための衣類が提供される。身体環境を改善するために、チューブにより汗の捕集及び導出が行われる。水蒸気又は液滴の形の汗は、開口部からチューブ内に進入することができ、さらには、生地の身体に近い領域から外部へ向かって導出される。
【０００８】
本発明の意味での「生地」とは、織り技術により製造されたものではなくても、即ち、従来の意味での繊維織物ではなくても、衣類における１つの層のことを表している。即ち、空調メンブレンを含む繊維層や、空調メンブレンに結合されているラミネートの形の層、又は、付加的な繊維生地層によってカバーされていない開放された空調メンブレンを包括するものである。
【０００９】
有利には開口部は特に、空調メンブレンに面した側に配置されていて、この場合特に、チューブの、使用状態で上方に向いた、即ち地面とは反対の側に配置されている。このような構成により、汗が生地から流れ出る際に汗の進入が容易に可能であり、汗を受け止めることができ、着用者の体から汗を導出するために溝として働く。
【００１０】
しかしながら水蒸気の進入を容易にし、水蒸気を受け止めるために、着用者の肌に直接面した側に付加的な開口部を設けることもできる。
【００１１】
本発明の別の構成では、チューブは円形の横断面を有している。円形の横断面を有したチューブの製造は特に簡単かつ安価に行うことができる。
【００１２】
本発明の別の構成では、チューブが三角形の横断面を有している。チューブのこのような形状により、チューブの１つの辺を生地に固定することができ、従ってチューブの先端だけが肌に接することになる。これにより一方では着心地が向上し、他方では、チューブの肌への大きな接触面積が回避されるので、熱絶縁作用が得られ、汗のために付加的な凝縮面積が形成される。
【００１３】
有利にはチューブは衣類から外部へ出ている。これにより、チューブ内に集められた汗が衣類の外部に導き出され、生地の外側で滴ることができる。
【００１４】
チューブは、水密かつ風密な生地における空調メンブレンの下に設けられた生地に埋め込むことができる。この場合、肌の汗はまずこの付加的な生地によって受け止められる。次いで汗は開口部を通ってチューブへと案内され、ここから上述した作用形式が続く。
【００１５】
互いに間隔を置いた複数の個々のチューブを１つの形式で設けることができる。個々のチューブは直線的に形成され、少なくとも延在において最も高位の点から開放端部へと到るので、湿気を妨げることなく流出させることができる。
【００１６】
複数のチューブを平行に配置し、湾曲部を介して１つのメアンダ状のループとなるように接続することもできる。特に、チューブのメアンダ状の延在を設けることができ、このような延在では、例えばシャツの胸部領域又は背部領域において、衣類の側に、カーブ、ひいては鉛直方向の領域が形成される。
【００１７】
本発明の別の有利な構成は従属請求項に記載されている。以下に本発明の実施例を図面につき詳しく説明する。
【図面の簡単な説明】
【００１８】
【図１】衣類をズボンとして示した図である。
【図２】図１に示した衣類の側面図である。
【図３】図２に示した衣類の部分的な断面図を拡大して示した図である。
【図４】変化実施例を示す図３に相当する図である。
【図５】図３に示した衣類の斜視図である。
【図６】別の構成の衣類の部分的な拡大図である。
【００１９】
実施例として選択された衣類１は例えばズボンである。この衣類の前面は、水密かつ風密な、即ち雨風を通さない織物生地２から成っている。
【００２０】
この衣類１の背面は、従来の特に弾性的な生地３から成っている。水密かつ風密な生地２の肌４に面した側には細いチューブ５が設けられており、これらのチューブ５は衣類１を着用した状態で肌４に接触する（図３及び図４参照）。
【００２１】
チューブ５は種々様々な材料から製造することができる。この場合特に、シリコーン、ポリテトラフルオロエチレン（ＰＴＦＥ）、又はポリエチレンから成るチューブが実用されている。チューブ５は、衣類の着用者の運動性が妨げられないようにフレキシブルである。これらのチューブ５はこの実施例では生地２に接着されている。しかしながら生地２とチューブ５との間の別の形式の結合もあり得る。
【００２２】
チューブ５は衣類１においてほぼ水平に延在している。図１及び図２により明らかであるように、チューブ５はズボンの脚部の前面を取り囲むように延びている。
【００２３】
チューブ５は両端部６で開放されて形成されている。端部６は、図１及び図２の実施例ではほぼ水平に向けられており、図６の実施例では地面の方向、即ち下方に向かって鉛直に向けられている。チューブ５の端部６は衣類１の外側に存在している。特に図１に示されているように、チューブ５は、水密かつ風密な生地２と弾性的な生地３との間の移行部の領域で衣類１から外方に出ている。
【００２４】
チューブ５はこの実施例では、円形の横断面（図３参照）又は三角形の横断面（図４参照）を有している。別の横断面であっても良く、特に、楕円形の横断面、多角形の横断面であっても良い。チューブ５には開口部７が設けられている。
【００２５】
開口部７は、チューブ５の、地面とは反対の側に配置されている（図３〜図５参照）。図５に示されたように、開口部７はこの実施例では、有利には長孔の形状であって、実質的にチューブ５の軸方向の延在の長手方向で延びている。
【００２６】
本発明による衣類の着用の際、生地２の空調メンブレンの下で汗が凝縮する。何故ならば、例えばランニングやサイクリングのように極めて激しい身体的な活動の際には、身体から発せられる湿分はもはや完全には、空調メンブレンの孔を通って外部に逃げることはできないからである。着用者から放出される汗はとりわけ、生地２の内面に結露する（図３〜図５参照）。汗は滴８の形で、重力に基づき下方に向かって流れ、最も近くに位置するほぼ水平に向けられたチューブ５に到る。
【００２７】
ここで汗滴８は、図５に示したように開口部７からチューブ５内に進入する。この汗滴８は、図３及び図４に示したように各チューブ５の底部に集まる。
【００２８】
チューブ５に汗が進入するほど、汗滴８は各チューブ５に沿って分配される。これにさらに、チューブ５内の湿った空気から凝縮された水蒸気の形の汗が加わる。汗滴８が端部６の領域に達し、これらの端部６が垂直に地面の方向、即ち下方に向けられていると、汗８も重力に従ってチューブ５から下方に落ちる（図６参照）。
【００２９】
端部６がほぼ水平に向けられている場合も、汗滴８は端部６に達した際にチューブ５から流出する。しかしながらこのような状況は以下のような状況により強化される。即ち、図２に示されているように、チューブ５の端部６がほぼ水平に向けられていると同時に後方に向けられている状態である。このような方向付けは、走行方向に反して選択されている。その結果、ランニング又はサイクリングの際に空気がチューブ５の端部６を擦過する。これにより、チューブ５の端部６の領域で負圧が生じ、この負圧により、図１及び図２に矢印で示したように、チューブ５から汗８が吸い出される。これにより衣類から汗を極めて改善された形式で導出することができる。
【００３０】
さらに汗の導出は、身体的な活動の際、筋肉の動き及び生地の動きにより衣類の下の空気圧が継続的に変化することにより促進される。このような空気圧の変化は、着用者の動きに応じて、開口部７への湿った空気の波のような流入を促進し、これにより衣類からの汗の排出はさらに改善される。
【図１】
0005933576.tif 000002
【図２】
0005933576.tif 000003
【図３】
0005933576.tif 000004
【図４】
0005933576.tif 000005
【図５】
0005933576.tif 000006
【図６】
0005933576.tif 000007